(57)【要約】【課題】低コストで、管理者が呼出親機から離れていても呼出子機側の状況を容易に把握可能な呼出装置を提供する。【解決手段】本発明の呼出装置１は、呼出者からの呼出を検出する検出手段８と、呼出者の側の音を入力する音入力手段６と、呼出が検出されてから所定時間を経過したか否かを判断する計時手段９と、計時手段９によって所定時間経過が判断されていない場合に、呼出音を出力し、計時手段９によって所定時間経過が判断された場合に、音入力手段６によって入力された音を出力する出力手段１２とを具備する。【選択図】    図１
2005033540.tif 000002
【特許請求の範囲】
【請求項１】
呼出者からの呼出を検出する検出手段と、
前記呼出者の側の音を入力する音入力手段と、
前記呼出が検出されてから所定時間を経過したか判断する計時手段と、
前記計時手段によって所定時間が経過していないと判断された場合に、呼出音を出力し、前記計時手段によって所定時間が経過したと判断された場合に、前記音入力手段によって入力された音を出力する出力手段と
を具備したことを特徴とする呼出装置。
【請求項２】
呼出子機と呼出親機とを具備し、
前記呼出子機は、
前記呼出者による呼出操作を受け付ける操作手段と、
前記操作手段に対して呼出操作がなされた場合に、前記呼出者の側の音を入力する前記音入力手段と
を具備し、
前記呼出親機は、
前記操作手段に対して呼出操作がなされた場合に前記呼出子機で呼出操作がなされた旨を表示する手段と、
前記操作手段に対して呼出操作がなされたか否かに基づいて呼出を検出する前記検出手段と、
前記計時手段と、
前記出力手段と
を具備する
ことを特徴とする請求項１記載の呼出装置。
【発明の詳細な説明】
【０００１】
【発明の属する技術分野】
本発明は、例えば医療機関、老人ホーム、介護施設などで用いられる呼出装置に関する。
【０００２】
【従来の技術】
医療機関や老人ホーム、介護施設などに備えられている従来の呼出装置は、複数の呼出表示窓（個別表示灯）を有する呼出親機と、複数の呼出子機とを具備する。呼出子機の呼出ボタンが押されると、呼出親機の呼出表示窓が点灯し、呼出音を発する。これにより、例えば患者などの呼出者からの呼出が、看護師などの管理者に通報される。
【０００３】
この従来の呼出装置によって呼出が行われた場合、呼出親機側の管理者は、呼出の発生を認識し、呼出表示窓に表されている呼出側の場所を確認し、呼出子機側まで行く。そして、管理者は、呼出者の呼出原因を確認し、必要な措置を講ずる。
【０００４】
【特許文献１】
特開平１０−１１７３６６号公報
【０００５】
【発明が解決しようとする課題】
従来の呼出表示装置では、呼出親機の呼出表示窓のうち呼出を行った場所に対応する部分が点灯し、管理者は呼出を行った場所を確認できる。しかしながら、呼出を行っている者及び呼出の用件を確認することは困難である。
【０００６】
呼出を行っている者及び呼出の用件を呼出親機側で確認するための装置として、呼出装置に双方向の通話機能を付加したナースコールインターホン装置がある。このナースコールインターホン装置では、上記の呼出装置と同様に、呼出発生時において、呼出表示窓の点灯によって呼出を行った場所を確認できる。
【０００７】
しかしながら、呼出を行った者、呼出の用件を確認するためには、壁などに取り付けられているナースコール親機まで管理者が移動し、スイッチを操作し、インターホンを用いてナースコール親機側とナースコール子機側で通話して内容を確認する必要がある。したがって、確認作業に労力がかかるとともに、確認までの時間もかかる。
【０００８】
そこで、管理者の自席など、管理者の存在する場所に影響を受けることなくナースコールに応答できるように、ナースコール親機と並列に動作する携帯副親機を備えるナースコールインターホン装置が利用されている。
【０００９】
このようなナースコールインターホン装置では、ナースコール子機からナースコール親機に対して呼出があると、携帯副親機でも同時に呼出音が発生し、携帯副親機で直ちにナースコール子機に応答できる。
【００１０】
これにより、管理者は、呼出を受けた時点での居場所又は自席で応答できるため、迅速にナースコール子機側への確認作業を行うことができる。
【００１１】
しかしながら、この携帯副親機を具備するナースコールインターホン装置は、有線と無線の複合システムであり、コスト的に高くなる。このような有線と無線の複合システムを採用することは経済的事情から困難な場合がある。
【００１２】
本発明は、以上のような実情に鑑みてなされたもので、低コストで、管理者が呼出親機から離れていても呼出子機側の状況を容易に把握可能な呼出装置を提供することを目的とする。
【００１３】
【課題を解決するための手段】
本発明を実現するにあたって講じた具体的手段について以下に説明する。
【００１４】
本発明の呼出装置における検出手段は、呼出者からの呼出を検出する。音入力手段は、呼出者の側の音を入力する。計時手段は、呼出が検出されてから所定時間を経過したか判断する。出力手段は、計時手段によって所定時間が経過していないと判断された場合に呼出音を出力し、計時手段によって所定時間が経過したと判断された場合に音入力手段によって入力された音を出力する。
【００１５】
また、本発明の呼出装置は、呼出子機と呼出親機とを具備するとしてもよい。この場合において、呼出子機は、呼出者による呼出操作を受け付ける操作手段と、操作手段に対して呼出操作がなされた場合に、呼出者の側の音を入力する音入力手段とを具備するとしてもよい。また、呼出親機は、呼出子機に対応付けされており操作手段に対して呼出操作がなされた場合に点灯する表示灯と、操作手段に対して呼出操作がなされたか否かに基づいて呼出を検出する検出手段と、計時手段と、出力手段とを具備するとしてもよい。
【００１６】
これにより、管理者が呼出親機から離れていても呼出者の状態を迅速かつ容易に把握できる低価格な装置を提供できる。
【００１７】
【発明の実施の形態】
以下、図面を参照しながら本発明の実施の形態について説明する。
【００１８】
本実施の形態においては、呼出発生時に、呼出子機が周囲の音を入力し、呼出子親機が呼出音を所定時間出力した後に、呼出子機の周囲の音を出力する呼出装置について説明する。
【００１９】
図１は、本実施の形態に係る呼出装置の構成の一例を示すブロック図である。
【００２０】
本実施の形態に係る呼出装置１は、複数の呼出子機Ａ１〜ＡＮと呼出親機２との間がネットワークＢ１〜ＢＮで接続された構成を持つ。ネットワークＢ１〜ＢＮは無線でもよく、例えば電線などの有線でもよい。
【００２１】
以下においては、呼出子機Ａ１〜ＡＮのうち呼出子機Ａ１を例に説明するが、他の呼出子機Ａ２〜ＡＮの場合も同様である。
【００２２】
呼出子機Ａ１は、呼出ボタン３、呼出抵抗４、直流アンプ５、マイク６を具備する。
【００２３】
呼出ボタン３が押されると、マイク６によって呼出者の周囲の音（例えば音声など）が入力される。マイク６によって入力された音を表すサウンド信号は、直流アンプ５によって増幅され、ネットワークＢ１経由で呼出親機２に通知される。なお、本実施の形態では、呼出者による呼出操作を受け付けるために呼出ボタン３が用いられているが、例えば各種のスイッチ、センサなどが用いられてもよい。
【００２４】
呼出親機２は、電源７、呼出表示部Ｃ１〜ＣＮ、呼出検出回路８、計時回路９、呼出音発生回路１０、受話アンプ１１、スピーカ１２、ダイオードＤ１〜ＤＮ、結合コンデンサ１３を具備する。
【００２５】
呼出表示部Ｃ１〜ＣＮは、呼出子機Ａ１〜ＡＮに対応付けされている。呼出表示部Ｃ１〜ＣＮとしては、例えばＬＥＤを利用することがコストの面から望ましい。この場合、呼出表示部Ｃ１〜ＣＮは、対応する呼出子機Ａ１〜ＡＮの呼出ボタン３が押されると点灯（発光）する。なお、呼出表示部としてディスプレイを用い、呼出を行った呼出子機Ａ１〜ＡＮの設置場所などがこのディスプレイに表示されるとしてもよい。
【００２６】
呼出検出回路８は、呼出子機Ａ１〜ＡＮにおける呼出ボタン３の状態（ＯＮ／ＯＦＦ）から呼出の発生を検出する。
【００２７】
計時回路９は、呼出検出回路８によって呼出が検出された場合に、まず呼出音出力動作を選択し、所定時間経過後に、サウンド信号出力動作を選択する。計時回路９は、遅延タイプのリレー接点９ａを含む。リレー接点９ａは、呼出検出時に、呼出音発生回路１０とスピーカ１２との間を接続し、所定時間経過時に、受話アンプ１１とスピーカ１２との間を接続する。
【００２８】
呼出音発生回路１０は、計時回路９で選択された状態において、呼出音をスピーカ１２に出力する。
【００２９】
受話アンプ１１は、計時回路９で選択された状態において、呼出操作の行われた呼出子機から入力したサウンド信号を増幅し、スピーカ１２に出力する。
【００３０】
ダイオードＤ１〜ＤＮは、サウンド信号の回り込みを防止する。
【００３１】
図２は、本実施の形態に係る呼出装置１の動作の一例を示すフローチャートである。
【００３２】
ステップＳ１において、呼出子機Ａ１の呼出ボタン３が呼出者によって押され、呼出ボタン３はＯＮ状態になる。これにより、電源７から、呼出検出回路８、呼出表示部Ｃ１、ダイオードＤ１、ネットワークＢ１、呼出ボタン３、呼出抵抗４に電流が流れる。
【００３３】
ステップＳ２において、呼出検出回路８が動作し、電源７からの電力を、計時回路９、呼出音発生回路１０、受話アンプ１１に供給する。
【００３４】
ステップＳ３において、スピーカ１２は、呼出音発生回路１０からの信号にしたがって呼出音を出力する。
【００３５】
ステップＳ４において、計時回路９は、呼出検出から所定時間が経過したか判断する。呼出検出から所定時間が経過していない場合、動作は上記ステップＳ４に戻る。
【００３６】
呼出検出から所定時間が経過した場合、ステップＳ５において、計時回路９は、リレー接点９ａを切り替え、呼出音発生回路１０とスピーカ１２との間を切断し、受話アンプ１１とスピーカ１２との間を接続する。
【００３７】
上記ステップＳ２〜Ｓ５とともに、以下のステップＳ６〜Ｓ９が行われる。
【００３８】
ステップＳ６において、呼出子機Ａ１は、マイク６によって呼出者の音声、周囲の音を入力する。
【００３９】
ステップＳ７において、直流アンプ５は、マイク６によって入力された音を表すサウンド信号を増幅する。
【００４０】
ステップＳ８において、呼出親機２の受話アンプ１１は、直流アンプ５によって増幅されたサウンド信号を、呼出ボタン３、ネットワークＢ１、ダイオードＤ１、呼出表示部Ｃ１、結合コンデンサ１３を経由して入力する。
【００４１】
ステップＳ９において、受話アンプ１１は、サウンド信号を増幅する。
【００４２】
リレー接点９ａによって受話アンプ１１とスピーカ１２との間が接続されると、ステップＳ１０において、スピーカ１２は、増幅されたサウンド信号を出力する。これにより、呼出親機２側で呼出子機Ａ１側の周囲の音がスピーカ１２から出力される。
【００４３】
以上説明した本実施の形態に係る呼出装置１では、呼出子機Ａ１〜ＡＮのいずれかで呼出が発生すると、呼出音出力後、呼出を行った呼出子機側の音が呼出親機２から出力される。
【００４４】
これにより、呼出親機２が呼出を検出した場合に、管理者は、呼出を行った呼出子機に対応する呼出表示部により呼出場所を確認できるだけでなく、呼出親機２から離れていても、呼出を行った呼出子機側の音声又は音を聞くことができ、迅速に呼出者の状態を把握できる。
【００４５】
また、本実施の形態に係る呼出装置１では、呼出を行った呼出子機から呼出親機２への一方向で信号伝達が行われるため、ハウリングの発生を防止できる。このため、医療機関や老人ホーム、介護施設などで不快な騒音が発生することを防止できる。
【００４６】
また、呼出者は、呼出ボタン３を押し、管理者は呼出親機２から出力される音を聞いて呼出者の状態を把握でき、特殊な操作を行う必要がない。このため、操作知識のない者でも容易に利用でき、装置の運用及び導入が容易である。
【００４７】
また、本実施の形態に係る呼出装置１は、無線機などを用いることなく低コストで設置可能である。
【００４８】
なお、上記実施の形態において、呼出装置１に具備される各構成要素は、同様の動作を実現可能であれば配置を変更させてもよく、また各構成要素を自由に組み合わせてもよく、各構成要素を自由に分割してもよく、いくつかの構成要素を削除してもよい。
【００４９】
すなわち、本発明は、上記実施形態そのままに限定されるものではなく、実施段階ではその要旨を逸脱しない範囲で構成要素を変形して具体化できる。
【００５０】
【発明の効果】
以上詳記したように本発明においては、管理者が呼出親機から離れていても呼出子機側の状態を把握できる装置を低コストで提供できる。
【図面の簡単な説明】
【図１】本発明の実施の形態に係る呼出装置の構成の一例を示すブロック図。
【図２】同実施の形態に係る呼出装置の動作の一例を示すフローチャート。
【符号の説明】
１…呼出装置、２…呼出子機、Ａ１〜ＡＮ…呼出子機、３…呼出スイッチ、４…呼出抵抗、５…直流アンプ、６…マイク、７…電源、Ｃ１〜ＣＮ…呼出表示部、８…呼出検出部、９…計時回路、１０…呼出音発生回路、１１…受話アンプ、１２…スピーカ、Ｄ１〜ＤＮ…ダイオード、１３…結合コンデンサ
【図１】
2005033540.tif 000003
【図２】
2005033540.tif 000004